(57)【特許請求の範囲】
【請求項１】
（ａ）コンピュータが、ユーザへのウェブユーザインタフェースから、ユーザがクリックした広告素材を特定する情報、ユーザの上記クリックを特定する情報、及び上記ユーザへの連絡先情報を受け付け、それら情報を格納手段に格納する工程と、
（ｂ）コンピュータが、ユーザへの上記ウェブユーザインタフェースを上記広告素材の広告主サイトへ誘導する工程と、
（ｃ）コンピュータが、上記ユーザの上記ウェブユーザインタフェースから、当該ユーザが上記広告主サイト上で成果発生対象行為を行った旨の通知を、上記クリックを特定する情報と共に受け取る工程と、
（ｄ）コンピュータが、上記受け取った上記クリックを特定する情報に基づいて上記格納手段を参照し、このクリックを特定する情報に関連付けられた上記ユーザへの連絡先情報を特定し、このユーザへの連絡先情報に対してインセンティブ利益還元の発生情報を送信する工程と
を有することを特徴とするアフィリエイ卜利益還元方法。
【請求項２】
請求項１記載の方法において、
上記（ａ）工程は、
（ａ１）コンピュータが、ユーザが特定のアフィリエイトサイトに表示されている広告素材をクリックしたことに基づいて、ユーザへの上記ウェブユーザインタフェースから少なくとも当該広告を特定する情報及びクリックを特定する情報を受け取る工程と、
（ａ２）コンピュータが、ユーザへの上記ウェブユーザインタフェース上に、ユーザに対する所定のインセンティブ利益還元情報を表示すると共に当該ユーザへの連絡先情報を入力させるための入力部を表示する工程と、
（ａ３）コンピュータが、ユーザへの上記ウェブユーザインタフェースから上記連絡先情報の入力を受け付け、上記クリックを特定する情報と共に格納する工程と
を有するものであることを特徴とする方法。
【請求項３】
請求項２記載の方法において、
さらに、
コンピュータが、（ａ）工程の前に、上記ユーザの上記ウェブユーザインタフェース上に、広告素材、ユーザに対する所定のインセンティブ利益還元情報、当該ユーザへの連絡先情報を入力させるための入力部を表示する工程、
を有するものであることを特徴とする方法。
【請求項４】
請求項２記載の方法において、
上記インセンティブ利益還元の情報は、上記広告を特定する情報に関連付けてコンピュータに格納されており、上記（ｂ）工程は、コンピュータが、上記広告を特定する情報に基づいて上記インセンティブ利益還元情報を取り出してユーザへの上記ウェブユーザインタフェースに表示するものである
ことを特徴とする方法。
【請求項５】
請求項１記載の方法において、
上記（ｂ）工程は、さらに、コンピュータが、上記広告を特定する情報に基づいて上記インセンティブ利益還元の情報を演算して出力する工程を有し、
上記演算の工程で出力されたインセンティブ利益還元情報をユーザへの上記ウェブユーザインタフェース上に表示するものである
ことを特徴とする方法。
【請求項６】
請求項１記載の方法において、
上記（ｃ）工程は、コンピュータが、ユーザ利益還元の記録を生成して、ユーザを特定する情報、クリックを特定する情報及び利益還元情報を格納するものである
ことを特徴とする方法。
【請求項７】
請求項１記載の方法において、
さらに、
（ｅ）コンピュータが、広告主へのウェブユーザインタフェースにユーザ利益還元を承認するための画面を表示し、広告主の承認に基づいて上記ユーザへの利益還元を実行処理する工程を有する
ことを特徴とする方法。
【請求項８】
請求項７記載の方法において、
上記（ｅ）工程は、外部の利益還元実行会社のシステムに上記利益還元情報及び上記ユーザの連絡先情報を渡し、この外部の利益還元実行会社からユーザの連絡先情報に対して利益還元発生情報を送信するものである
ことを特徴とする方法。
【請求項９】
請求項５記載の方法において、
上記（ｅ）工程は、
外部の利益還元実行会社のシステムに上記利益還元情報を渡し、
この外部の利益還元実行会社から利益還元発生情報を受信し、
受け取った利益還元発生情報をユーザの連絡先情報に送信するもので
ある
ことを特徴とする方法。
【請求項１０】
（ａ）コンピュータが、ユーザへのウェブユーザインタフェースから、ユーザがクリックした広告素材を特定する情報、ユーザの上記クリックを特定する情報、及び上記ユーザへの連絡先情報に関する情報を受け付け、それら情報を格納する手段と、
（ｂ）コンピュータが、ユーザへの上記ウェブユーザインタフェースを上記クリックを特定する情報と共に上記広告素材の広告主サイトへ誘導する手段と、
（ｃ）コンピュータが、上記ユーザの上記ウェブユーザインタフェースから、当該ユーザが上記広告主サイト上で成果発生対象行為を行った旨の通知を、上記クリックを特定する情報と共に受け取る手段と、
（ｄ）コンピュータが、上記クリックを特定する情報に基づいて上記情報を格納する手段を参照し、このクリックを特定する情報に関連付けられた上記ユーザへの連絡先情報を特定し、このユーザへの連絡先情報に対してインセンティブ利益還元の発生情報を送信する手段と
を有することを特徴とするアフィリエイ卜利益還元システム。
【請求項１１】
請求項１０記載のシステムにおいて、
上記（ａ）手段は、
（ａ１）コンピュータが、ユーザが特定のアフィリエイトサイトに表示されている広告素材をクリックしたことに基づいて、ユーザへの上記ウェブユーザインタフェースから少なくとも当該広告を特定する情報及びクリックを特定する情報を受け取る手段と、
（ａ２）コンピュータが、ユーザへの上記ウェブユーザインタフェース上に、ユーザに対する所定のインセンティブ利益還元情報を表示すると共に当該ユーザへの連絡先情報を入力させるための入力部を表示する手段と、
（ａ３）コンピュータが、ユーザへの上記ウェブユーザインタフェースから上記連絡先情報の入力を受け付け、上記クリックを特定する情報と共に格納する手段と
を有するものであることを特徴とするシステム。
【請求項１２】
請求項１１記載のシステムにおいて、
さらに、
コンピュータが、（ａ）手段の前に、上記ユーザの上記ウェブユーザインタフェース上に、広告素材、ユーザに対する所定のインセンティブ利益還元情報、当該ユーザへの連絡先情報を入力させるための入力部を表示する手段、
を有するものであることを特徴とするシステム。
【請求項１３】
請求項１１記載のシステムにおいて、
上記インセンティブ利益還元の情報は、上記広告を特定する情報に関連付けてコンピュータに格納されており、上記（ｂ）手段は、コンピュータが、上記広告を特定する情報に基づいて上記インセンティブ利益還元情報を取り出してユーザへの上記ウェブユーザインタフェースに表示するものである
ことを特徴とするシステム。
【請求項１４】
請求項１１記載のシステムにおいて、
上記（ｂ）手段は、さらに、コンピュータが、上記広告を特定する情報に基づいて上記インセンティブ利益還元の情報を演算して出力する手段を有し、
上記演算の手段で出力されたインセンティブ利益還元情報をユーザへの上記ウェブユーザインタフェース上に表示するものである
ことを特徴とするシステム。
【請求項１５】
請求項１０記載のシステムにおいて、
上記（ｃ）手段は、コンピュータが、ユーザ利益還元の記録を生成して、ユーザを特定する情報、クリックを特定する情報及び利益還元情報を格納するものである
ことを特徴とするシステム。
【請求項１６】
請求項１０記載のシステムにおいて、
さらに、
（ｅ）コンピュータが、広告主へのウェブユーザインタフェースにユーザ利益還元を承認するための画面を表示し、広告主の承認に基づいて上記ユーザへの利益還元を実行処理する手段を有する
ことを特徴とするシステム。
【請求項１７】
請求項１４記載のシステムにおいて、
上記（ｅ）手段は、外部の利益還元実行会社のシステムに上記利益還元情報及び上記ユーザの連絡先情報を渡し、この外部の利益還元実行会社からユーザの連絡先情報に対して利益還元発生情報を送信するものである
ことを特徴とするシステム。
【請求項１８】
請求項１４記載のシステムにおいて、
上記（ｅ）手段は、
外部の利益還元実行会社のシステムに上記利益還元情報を渡し、
この外部の利益還元実行会社から利益還元発生情報を受信し、
受け取った利益還元発生情報をユーザの連絡先情報に送信するものである
ことを特徴とするシステム。
【発明の詳細な説明】
【技術分野】
【０００１】  この発明は、電子商取引において、潜在顧客を広告商品の販売サイトに誘導するための、コンピュータシステムにより実施されるアフィリエイト利益還元方法及びそのシステムに関するものである。
【背景技術】
【０００２】  一般に、いわゆるアフィリエイトサービスとは、インターネット上で利用される成功報酬型広告であり、ある広告媒体のウェブサイトに設置された広告によってウェブサイトの閲覧者が広告主の商品あるいはサービス等を購入すると、生じた利益等に応じて広告媒体に成功報酬を与える仕組みである。【０００３】  このアフィリエイトサービスによれば、ウェブサイトやブログを持つ個人に、自己のウェブサイトやブログに上記の成功報酬型広告を掲載するインセンティブを与えることができ、広告の機会を増やすことができるという効果がある。【０００４】  ところで、従来のアフィリエイトサイトにおいては、広告商品の購入を促進するためにサイトやブログの運営者だけでなく、購入者に対しても何らかのインセンティブを与えたいという希望がある。しかし、従来のシステムでは、広告掲載者には広告掲載のインセンティブとして広告企業から成功報酬が支払われるものの、商品の購入者に広告企業から購入のインセンティブを与える仕組みはない。【０００５】  このため、広告掲載者自身が購入者に対してインセンティブを与えるようにすることが必要であるが、このためには、広告掲載者のサイトにおいて購入者の情報を取得するための仕組み、例えば会員登録の仕組みを導入する必要がある。また、会員登録と購入とを関連付けるシステムを構築する必要があり、中小企業や個人などのサイトには導入が困難であるということがあった。【０００６】  この発明は、このような課題に鑑みてなされたものであり、広告掲載者や広告企業／商品販売企業に特別なシステムの構築の必要性を課すことなく、広告企業／商品販売企業から商品購入者に購入成果の報酬を与えることができる方法及びシステムを提供することを目的とする。
【発明の概要】
【０００７】  この発明は上記課題に鑑みてなされたもので、その第１の主要な観点によれば、（ａ）コンピュータが、ユーザへのインタフェースから、広告素材を特定する情報、ユーザのクリックを特定する情報、及び前記ユーザへの連絡手段に関する情報を受け付け、それら情報を格納する工程と、（ｄ）コンピュータが、ユーザへのインタフェースを上記広告素材の広告主サイトへ誘導する工程と、（ｃ）コンピュータが、上記広告主サイト若しくは上記ユーザのインタフェースから、当該ユーザが上記広告主サイト上で成果発生対象行為を行った旨の通知を、上記クリックを特定する情報と共に受け取る工程と、（ｄ）コンピュータが、上記クリックを特定する情報に基づいて、このクリックを特定する情報に関連付けられた前記ユーザへの連絡手段を特定し、このユーザへの連絡手段に対して上記インセンティブ利益還元の発生情報を送信する工程と  を有することを特徴とするアフィリエイト利益還元方法が提供される。
【０００８】  このような構成によれば、商品やサービスの購入者であるユーザから連絡先情報を取得することで、広告企業／商品販売企業から商品購入者に購入成果の報酬を与えることができる。
【０００９】  この発明の１の実施形態によれば、前記（ａ）工程は、（ａ１）コンピュータが、ユーザが特定のアフィリエイトサイトに表示されている広告素材をクリックしたことに基づいて、ユーザへのインタフェースから少なくとも当該広告を特定する情報及びクリックを特定する情報を受け取る工程と、（ａ２）コンピュータが、ユーザへのインタフェース上に、ユーザに対する所定のインセンティブ利益還元情報を表示すると共に当該ユーザへの連絡手段を入力させるための入力部を表示する工程と、（ａ３）コンピュータが、ユーザへのインタフェースから前記連絡手段の入力を受け付け、上記クリックを特定する情報と共に格納する工程とを有するものであることを特徴とする方法である。。
【００１０】  この場合、さらに、コンピュータが、（ａ）工程の前に、前記ユーザのインタフェース上に、広告素材、ユーザに対する所定のインセンティブ利益還元情報、当該ユーザへの連絡手段を入力させるための入力部を表示する工程、を有するものであることが好ましい。
【００１１】  また、さらに上記の場合、前記インセンティブ利益還元の情報は、前記広告を特定する情報に関連付けてコンピュータに格納されており、前記（ｂ）工程は、コンピュータが、上記広告を特定する情報に基づいて上記インセンティブ利益還元情報を取り出してユーザへのインタフェースに表示するものであることが望ましい。
【００１２】  この発明の更なる別の一実施形態によれば、前記（ｂ）工程は、さらに、コンピュータが、前記広告を特定する情報に基づいて前記インセンティブ利益還元の情報を演算して出力する工程を有し、上記演算の工程で出力されたインセンティブ利益還元情報をユーザへのインタフェース上に表示するものである。
【００１３】  更なる別の一実施形態によれば、上記（ｃ）工程は、コンピュータが、ユーザ利益還元の記録を生成して、ユーザを特定する情報、クリックを特定する情報及び利益還元情報を格納するものである。
【００１４】  更なる別の一実施形態によれば、この方法は、さらに、（ｅ）コンピュータが、広告主へのインタフェースにユーザ利益還元を承認するための画面を表示し、広告主の承認に基づいて上記ユーザへの利益還元を実行処理する工程を有する。
【００１５】  この場合、前記（ｅ）工程は、外部の利益還元実行会社のシステムに前記利益還元情報及び前記ユーザの連絡手段を渡し、この外部の利益還元実行会社からユーザの連絡手段に対して利益還元発生情報を送信するものであることが好ましい。
【００１６】  さらにこの場合、前記（ｅ）工程は、外部の利益還元実行会社のシステムに前記利益還元情報を渡し、この外部の利益還元実行会社から利益還元発生情報を受信し、受け取った利益還元発生情報をユーザの連絡手段に送信するものであることが望ましい。
【００１７】  この発明の第２の主要な観点によれば、（ａ）コンピュータが、ユーザへのインタフェースから、広告素材を特定する情報、ユーザのクリックを特定する情報、及び前記ユーザへの連絡手段に関する情報を受け付け、それら情報を格納する手段と、（ｄ）コンピュータが、ユーザへのインタフェースを上記広告素材の広告主サイトへ誘導する手段と、（ｃ）コンピュータが、上記広告主サイト若しくは上記ユーザのインタフェースから、当該ユーザが上記広告主サイト上で成果発生対象行為を行った旨の通知を、上記クリックを特定する情報と共に受け取る手段と、（ｄ）コンピュータが、上記クリックを特定する情報に基づいて、このクリックを特定する情報に関連付けられた前記ユーザへの連絡手段を特定し、このユーザへの連絡手段に対して上記インセンティブ利益還元の発生情報を送信する手段と  を有することを特徴とするアフィリエイト利益還元システムが提供される。
【００１８】  このシステムによれば、上記第１の観点のアフィリエイト利益還元方法を実行することが可能になる。
【００１９】  この発明の上記特許請求の範囲に記載していない他の特徴については、この後の発明の最良の実施形態及び図面中に明らかにされる。
【図面の簡単な説明】
【００２０】
【図１】図１は、本発明の１実施形態にかかるシステムを示す全体構成図。
【図２】図２は、同じく、アフィリエイトサービス提供システムのシステム構成図。
【図３】図３は、同じく、処理の流れを示すフロー図。
【図４】図４は、同じく、処理の流れを示すフロー図。
【図５】図５は、同じく、ユーザ端末の表示画面（インタフェース）例を示す図。
【図６】図６は、同じく、ユーザ端末の表示画面（インタフェース）例を示す図。
【図７】図７（ａ）は、同じくユーザ端末の表示画面例を示す図、（ｂ）はユーザに送信されるメールの例を示す図。
【図８】図８は、同じく、広告主サイトの表示画面例を示す図。
【図９】図９は、同じく、広告主サイトの表示画面例を示す図。
【図１０】図１０（ａ）は、同じく広告主サイトの表示画面例を示す図、（ｂ）はユーザに送信されるメールの例を示す図。
【図１１】図１１は、同じく、アフィリエイトサービス提供システムにより広告主に提示される成果承認表示画面例を示す図。
【図１２】図１２は、同じく、ユーザに送信されるメールの例を示す図。
【図１３】図１３は、同じく、広告プロモーション情報を示すシステム図。
【図１４】図１４は、同じく、クリック情報を示すシステム図。
【図１５】図１５は、同じく、ユーザ情報を示すシステム図。
【図１６】図１６は、同じく、成果情報を示すシステム図。
【図１７】図１７は、同じく、ユーザ利益還元情報を示すシステム図。
【図１８】図１８は、他の一実施形態のユーザ端末の表示画面（インタフェース）例を示す図。
【発明を実施するための最良の形態】
【００２１】  以下、添付図面を参照し、この発明の実施形態について説明する。【００２２】  図１は，本実施形態のシステムを示す全体構成図である。【００２３】  このシステムにおいては、ＴＣＰ／ＩＰプロトコルによる公衆ネットワークであるインターネット網１を介して，アフィリエイターが運用するアフィリエイトサイト２と、商品・サービスの販売サイトである広告主サイト３と、アフィリエイトサービス業者が運営するアフィリエイトサービス提供システム４と、商品購入者であるユーザが利用するユーザ端末５とが接続されている。ユーザは、ユーザ端末５にインストールされたブラウザ６（インタフェース）を使用してアフィリエイトサイト２、広告主サイト３及びアフィリエイトサービス提供システム４に接続可能になっている。【００２４】  ここで、上記システムの各構成２〜５の詳細を説明する前に、一般的なアフィリエイトサービスについて説明する。【００２５】  一般に、アフィリエイトサービスにおいては、アフィリエイトサービス提供システム４に商品又はサービス等の広告対象のデータが登録され，それらの商品又はサービスがアフィリエイトサイト２の記事（タイアップ訴求記事）に広告素材７として掲載される。ここでアフィリエイトサイト２は個人のサイトやブログであってもよく、そして、タイアップ訴求記事には広告対象の商品の使い心地等の記載等が含まれているのが一般的であるこのアフィリエイトサイト２にアクセスしたユーザがタイアップ訴求記事を読み、自己の端末５のブラウザ６上で上記広告素材７をクリックすると、上記アフィリエイトサービス提供システム４を介して広告主サイト３に誘導される。そこで、ユーザが広告報酬の成果対象行為（商品購入，商品資料請求の申込み，会員登録の申込みなど）をすると、そのユーザを誘導したとしてアフィリエイトサイト２（アフィリエイター）に広告報酬が支払われる。【００２６】  上記広告報酬は、商品購入なら金額に報酬料率を乗算したり，個数に定額を乗算したりして求められ，申込みなら定額が広告報酬となる。この広告報酬がインセンティブとなり、アフィリエイトサイト２の運営者であるアフィリエイターは自己のサイト上に広告掲載をするのである。【００２７】  これに対して、本願発明においては、アフィリエイトサイト２の運営者に対してだけではなく、商品を購入するユーザ(ユーザ端末５の操作者)に対してもインセンティブ報酬を支払うことのできるシステムを提供しようとするものである。【００２８】  ユーザに購入のインセンティブを与えるための仕組みとしては、従来、広告主サイト３やアフィリエイトサイト２において会員登録制度を実施し、購入に対して一定のポイントを付与する方法があった。しかし、このためには、広告主サイト３やアフィリエイトサイト２においてユーザの情報を取得するための仕組み、すなわち会員登録の仕組みを導入する必要がある。また、会員登録と購入とを関連付けるシステムを構築する必要があり、中小企業や個人などのサイトには導入が困難であるということがあった。【００２９】  この発明は、このような課題に鑑みてなされたものであり、広告主やアリフィリエイターに特別なシステムの構築の必要性を課すことなく、商品購入者で���るユーザに購入成果のインセンティブ報酬を与えることができる方法及びシステムを提供するものである。【００３０】  以下、上記本実施形態のシステムの各構成について詳しく説明する。【００３１】  以下の実施の形態では，成果対象は「商品」、成果発生対象行為は、「商品購入」であるとして説明する。しかし、成果発生物及び対象行為は、商品購入に限定されるものではなく、サービスであってもよいし、購入を伴わない単なるサイト訪問であってもよい。（アフィリエイトサイト）  アフィリエイトサイト２は、広告主サイト３が販売する商品の広告である広告素材７を掲載するサイトであり、当該アフィリエイターの私的サイトやブログであってもよく、商用サイトである必要はない。広告素材７は、一般には、当該商品の写真や説明を含むタイアップ訴求記事と、この記事中に埋め込まれ当該商品を購入するための広告主サイト３へユーザを誘導するためのリンクとを有する。【００３２】  例えば図５に示したのは、アフィリエイターが運営するブログ（アフィリエイトサイト２）である。このブログ記事中に広告素材７が埋め込まれており、このブログの記事を読んでこの広告素材の購入に共感したユーザがブラウザ６（インタフェース）上でこの広告素材７をクリックするように仕向けられている。（広告主サイト）  広告主サイト３は、上記広告素材７のリンク先である商品販売サイトであり、アクセスしてきたユーザに商品の購入手続（決済手続き）を提供する決済モジュール８（図１）を有する。【００３３】  図８に示したのは、ユーザに（ユーザ端末のブラウザ上に）表示される広告主サイト３のランディングページの例である。ユーザがこのランディングページ上で「今すぐ購入」ボタン９を押す等すると、上記決済モジュール８がこの広告主サイト３内で商品購入（成果対象行為）に伴う決済手続きを処理・完了する。なお成果対象行為は商品購入だけに限定されるものではなく、アンケート回答の他、購入を伴わない単なるサイト訪問であってもよい。（アフィリエイトサービス提供システム）  アフィリエイトサービス提供システム４は、概略すると，アフィリエイトサイト２を訪問したユーザを広告主サイト３に案内すると共に、ユーザがアフィリエイトサイト２の広告素材７（リンク）をクリックしたこと及び広告主サイト３で実際に商品の購入に至ったかを記録し、アフィリエイトに対する広告報酬額（アフィリエイト報酬額）を算出するシステムである。一般に，報酬額は，購入額と広告主報酬料率との乗算，または，個数と固定報酬額との乗算により求められるので，トラッキング処理ではアフィリエイター情報と広告主情報と購入情報（個数と価格，または合計金額）とが必要になる。これらの報酬条件は，広告キャンペーン情報として、アフィリエイトサービス提供システム４にあらかじめ登録されている。【００３４】  この発明の実施形態においては、このような上記アフィリエイトへの支払いのための構成は、既存のものであってよく、上記のような構成に限らずどのような構成であっても採用しうる。【００３５】  この発明の要旨は、アフィリエイトへの支払に加えて、若しくはそれとは別にアフィリエイトサービス提供システム４を使ってユーザへの支払いを行う���うに構成したことにある。したがって、以下の説明では、上記のようなアフィリエイトへの支払のための構成については省略し、ユーザへのインセンティブの支払に関する構成についてのみ説明する。【００３６】  図２は，本実施の形態におけるアフィリエイトサービス提供システム４の詳細構成図である。このシステム４は、図示しないＣＰＵ、ＲＡＭ及びユーザインタフェースと、それらに接続されたプログラム格納部１１及びデータ格納部１２ａ〜１２ｅとを有する。（システムの詳細構成）  プログラム格納部１１には、クリック情報記録部１９と、ユーザ用キャンペーン判別部１４と、ユーザ用インセンティブ演算部１５と、ユーザ用インセンティブ表示部１６と、ユーザ連絡情報取得部１７と、ユーザ還元情報記録部１８と、成果発生情報記録部２０と、ユーザ用インセンティブ支払処理部２１と、が格納されている。【００３７】  また、データ格納部としては、広告プロモーション情報格納部１２ａ（図１３）と、クリック情報格納部１２ｂ（図１４）と、成果情報格納部１２ｄ（図１５）と、ユーザ情報格納部１２ｃ（図１６）と、ユーザ利益還元情報格納部１２ｅ（図１７）とが設けられている。【００３８】  以下、これらの構成要素の構成及び作用を、図２、図１３〜１７、及び図３、図４に示す実際の処理の工程図を説明しながら明らかにする。【００３９】  まず、図３の工程図においては、動作主体に応じて４段に区切られており、上段からそれぞれ、ユーザ（ユーザ端末）、アフィリエイトサイト２、アフィリエイトサービス提供システム４、広告主サイト３となっている。【００４０】  また、図中、Ｓ１〜Ｓ２０は、以下で参照するステップＳ１〜Ｓ２０に対応する。【００４１】  まず、図３のステップＳ１で、ユーザがブラウザ６を用いて、アフィリエイトサイト２を訪問する。図５が、アフィリエイトサイト２の例であり、このアフィリエイトサイト２の記事には、広告主の商品広告を示す広告素材７が埋め込まれ表示されている。ユーザがこの広告素材７をクリックすると、ユーザのブラウザ６は広告素材７に含まれるリンクＵＲＬに従い、アフィリエイトサービス提供システム４に接続される（ステップＳ２）。（リンクからの情報取得）  アフィリエイトサービス提供システム４は、クリック情報記録部１９が、以下の情報をクリックしたＵＲＬ（アフィリエイトリンク）の内容から取得し、クリック情報格納部１２ｂ（図１４）に格納する（ステップＳ３）。・アフィリエイト広告プロモーションのＩＤ（図１３に２３で示す）・アフィリエイトサイトのＩＤ(図１４に２４で示す）  また、以下の情報をユーザ端末５のブラウザ６等から取得し、クリック情報格納部１２ｂにユーザアクセス情報２５として同様に格納する。・クリックが発生した時間・クリックが発生したＵＲＬ（リファラ情報）・その他の情報  また、前記クリック情報記録部１９は、上記の情報を後で照合するための鍵になるユニークＩＤ（クリックＩＤ２６）を生成し、これを上記クリック情報格納部１２ｂに格納すると共に、上記ユーザのブラウザ６にcookieとして残す。【００４２】  （ユーザ用キャンペーン判別）  次に、ステップＳ４で、上記ユーザ用キャンペーン判別部１４が、上記で取得した広告プロモーションＩＤ２３を前記広告プロモーション情報格納部１２ａに問い合わせて当該広告についてユーザ向けの利益還元キャンペーンが登録されているかを判別する。図１３に示すように、この広告プロモーション情報格納部１２ａには、広告プロモーションＩＤ２３に関連付けて、広告プロモーション詳細情報２８が格納されている。この広告プロモーション詳細情報２８には、例えば、広告の飛び先や、有効期間、各種金額、広告表示内容等が含まれる。【００４３】  また、上記広告プロモーションＩＤ２３で特定される広告プロモーションに対してユーザ向け利益還元キャンペーンが登録されている場合、この広告プロモーション情報格納部１２ａには、図１３に示すように、ユーザ利益還元プロモーション情報２７と、ユーザ用キャンペーン表示コンテンツ２９と、ユーザ用キャンペーン演算式３０を含む。【００４４】  ユーザ利益還元プロモーション情報２７としては、利益還元方法（表示コンテンツ）、還元額（定額若しくは演算式）、有効期間等が含まれる。利益還元方法、すなわち、ユーザに対するインセンティブとしては様々なものが考えられるが、例えば、図書券や商品券のプレゼント（有価券）、商品価格のディスカウント（割引）、配送料の無償化（無償化）がある。この還元方法には、必要に応じて、ユーザ用キャンペーン表示コンテンツ２９、ユーザ用キャンペーン演算式３０に関連付けられている。ただし、関連付けられているユーザ用キャンペーン情報はこれに限定されるものではなく、これらの情報に加えて若しくはこれらの情報の代わりに他の情報を含むものであってもよい。（ユーザ用インセンティブ演算部）  ついで、ステップＳ５で、ユーザ用インセンティブ演算部１５(図２）が、上記で判別したユーザ利益還元プロモーション情報２７（及びユーザ用キャンペーン表示コンテンツ２９、ユーザ用キャンペーン演算式３０）に従い、ユーザに提示するコンテンツを生成する。具体的には、特定されたユーザ利益還元プロモーション情報２７とそれに関連付けられたユーザ用キャンペーン演算式３０を用いて商品券の価額を計算する。この演算式としては、様々なものが考えられるが、例えば、広告対象商品の価格や購入数量に応じて商品券の額面を演算するものや、ディスカウント率を計算するものなどが考えられる。なお、キャンペーンの内容によっては、このようにインセンティブの価額がない場合や定額の場合もあり、このような場合にはこの演算式が定額を返すようなものに設定されるか、若しくは上記ユーザ用インセンティブ演算部１５が選択的に動作しないように設定される。また、定額を返すものを含め、複数のユーザ用キャンペーン演算式３０があらかじめ用意されていて、どの演算式を用いるかが上記ユーザ利益還元プロモーション情報２７によって指示されるようになっていてもよい。（ユーザインセンティブ表示部）  次に、ステップＳ６で、ユーザ用インセンティブ表示部１６（図２）が、ユーザ利益還元プロモーション情報２７及び上記ユーザ用キャンペーン演算式３０による演算結果をユーザ用キャンペーン表示コンテンツ２９に適用し、ユーザのブラウザ６上にキャンペーン画面を表示させる。【００４５】  図６は、本実施形態のキャンペーン画面���例である。【００４６】  上記ユーザ用キャンペーン表示コンテンツ２９は、要するにテンプレートであり、これにより、キャンペーン種別に応じたキャンペーン画面を生成し、表示することができるのである。この例では、３０００円分（演算結果若しくは定額）のギフトカードのプレゼント（ユーザ利益還元プロモーション情報２８）が所定のテンプレート（ユーザ用キャンペーン表示コンテンツ２９）に適用されて表示される。そして、上記ユーザ用キャンペーン表示コンテンツ２９は、少なくともユーザ連絡先情報取得欄３３を含む。（ユーザ連絡先情報取得部）  ユーザ連絡先情報取得欄３３には、この実施例では、ソーシャルネットワークのアカウントで参加するオプションと、メールアドレスで参加するオプションが表示されるようになっている。【００４７】  ユーザは、上記キャンペーン画面に含まれるインセンティブ情報を見て、例えば商品購入に際して３０００円のギフトカード券のプレゼントを得たい場合には、上記ユーザ連絡先情報取得欄３３に自己の連絡先情報を入力する。【００４８】  ここで、ユーザが、メールアドレスで参加するオプションを選択し、メールアドレスを入力して「登録」ボタン３４を押すと、前記ユーザ連絡情報取得部１７（図２）が、その情報を取得し、ユーザＩＤ４５に関連付けてユーザ情報格納部１２ｃに格納する（図１５に符号３２で示す）（ステップＳ７）。この時、ユーザ連絡情報取得部１７は、前記クリックＩＤ２６も一緒に格納する。このクリックＩＤ２６を使うことで、後の工程において、成果情報やユーザ利益還元情報を照合する際にどのユーザが行ったクリックに基づくものなのかを特定することができるのである。【００４９】  また、前記ユーザ情報格納部１２ｃには、ユーザに示したユーザ利益還元情報４６（上記３０００円の商品券等）も格納する。【００５０】  なお、結果としてユーザのブラウザ６に保存したcookieに書き込んだ取引情報（クリックＩＤ）を調べるだけで、以下の情報を上記情報格納部１２ａ〜１２ｅから取得できるようになる。【００５１】  ・どのアフィリエイト広告プロモーションなのか？（広告プロモーションＩＤ）  ・成果が発生する契機となったＷｅｂページはどこか？（ユーザアクセス情報）  ・成果を発生させたユーザは誰なのか？（ユーザ情報）  ・（その他、時間やリファラ等）  したがって、この実施形態のアフィリエイトサービス提供システム４は、成果発生時にcookieを調べる処理を実行することで、上記様々な情報を照合できる。なお、後で述べるように、同様の処理はcookieを用いないで行う事も可能である。たとえば、ＵＲＬにクリックＩＤ他の必要な参照情報を埋め込むようにしてもよいし、専用のアプリを用いるようにしてもよい。【００５２】  ついで、上記ユーザ連絡情報取得部１７は、図７（ａ）に示すようなメールアドレス完了画面３５を表示すると共に、図７（ｂ）に示すような確認メール３６をユーザに送信する。（ステップＳ８）。【００５３】  ついで、ユーザが、上記メールアドレス完了画面３５において、「ユーザが商品購入サイトへ移動」ボタン３７を押すと、アフィリエイトサービス提供システム４は、ユーザのブラウザ６を、広告主サイト３にルーティングする（ステ��プＳ９）。（広告主サイトでの購入処理）  図８は、ステップＳ９でユーザに示す広告主サイトのランディングページの例である。この広告主サイト３で商品を購入する際には、例えば、このランディングページ中の「今すぐ購入」ボタン押して決済処理に進む。決済モジュール８は、例えば、ショッピングカート機能を有し、例えば、図９に示すような画面を経て商品を購入する。【００５４】  図１０（ａ）は、購入後の成果確定画面である（ステップＳ１０）。（成果発生情報取得部）  この実施形態では、この図１０（ａ）の画面を通して、上記アフィリエイトサービス提供システム４の成果発生情報記録部２０（図２）が、成果発生を取得し記録する（ステップＳ１１）。具体的には、この広告主サイト３が上記ユーザのブラウザ６に表示するページに特定のＨＴＭＬタグを埋め込んでおくことで、その成果を取得する。さらに具体的には、ユーザ端末５のブラウザ６に保存したcookieに書き込んだクリックＩＤ２６あるいはその他の取引特定鍵情報を調べることで、上述したように、アフィリエイターサイトＩＤ２４，広告プロモーションＩＤ２３，クリックＩＤ２６，ユーザＩＤ４５、その他の情報を取得する。そして、図２の成果発生情報記録部２０は、これらの情報を成果情報格納部１２ｄに成果ＩＤ３１を付けて格納する。【００５５】  なお、成果情報（１２ｄ）を、前記クリック情報（１２ｂ）と別に格納するのは、クリックが生じただけでは必ずしも商品購買が発生するとは限らず、むしろクリックの数に比して成果発生は極めて少ない数であり、別にすることで成果に関する処理の計算量を減らすためである。（ユーザ用インセンティブ支払処理部）  上記クリックＩＤ２６の特定により、ユーザＩＤ４５が特定されるから、ユーザ用インセンティブ支払処理部２１のユーザ特定部４１がユーザ連絡先情報３２を特定することができる（ステップＳ１２）。このことで、通知部４２が、ユーザに、図１０（ｂ）に示すような確認メールを送信する（ステップＳ１３）。【００５６】  この実施形態では、さらに、後の工程で広告主が成果を確認・承認して正規の成果として確定するための構成を提供する。上記の成果発生情報の記録は、成果発生を自動で記録するものであり、返品やイタズラ、ブラウザの意図しない動作による成果発生を区別できない場合があるからである。（成果確定処理（ユーザ利益還元確定処理））  図４は、その成果確定工程を示した模式図である。【００５７】  なお、この図では、図３のアフィリエイトサイト２の代わりにギフトカード発行会社のシステム４７が示されている。【００５８】  まず、ステップＳ１４で、広告主がアフィリエイトサービス提供システムの成果承認ページにログインする。図１１は、ログイン後に図２に４３で示す成果承認却下処理部が表示する成果承認ページである（ステップＳ１５）。この例では、検索欄５０が設けられ、広告キャンペーンや広告期間等で成果を検索できるようになっている。そして、広告主は表示された成果のリスト５１を確認して成果を１つずつ承認若しくは却下することができるようになっている（ステップＳ１６）。【００５９】  このページで、成果承認５２あるいは却下５３のラジオボタンを選択し、確認ボタン５４を押すと、図１６に示す成果発生情報４０として「承認済み」のフラグが立てられると共に、各成果情報１２ｄに関連付けられたユーザＩＤ(もし利用者が対象キャンペーンに参加している場合、ユーザIDが成果情報に追加される)を通してユーザ情報格納部１２ｃとの照合が実行されてユーザ連絡先情報３２が取得される（ステップＳ１７）。ついで、インセンティブ生成部４４は、そのユーザ連絡先情報３２を、インセンティブの内容（金額等）と共にギフトカード発行会社に送り、ギフトカード発行会社システム４７からギフトカードの情報を受け取る（ステップＳ１８）。この実施形態では、当該ギフトカードはコードとして電子化されており、前記ギフトカード発行会社システム４７から受け取るギフトカードの情報は、実際にはギフトカードの内容を特定するためのコードである。したがって、上記インセンティブ生成部４４は、このコードの情報をユーザに送る（ステップＳ１９、ステップＳ２０）。図１２は、この時ユーザに送られる電子メールの文面の例であり、図に４８で示したのが上記コードである。上記コード４８は、上記コード４８の他に、このギフトカードの利用法を説明するリンク４９が埋め込まれており、ユーザはこのリンク４９をクリックすることで上記ギフトカード発行会社システム４７のサイトでギフトカードの利用方法を照会することができる。【００６０】  このようにしてギフトカード（コード４８）情報が発生されたことに基づき、ユーザ還元情報記録部１８（図２）が、ユーザ利益還元情報格納部１２ｅ（図１７）にその情報をユーザ還元記録ＩＤ３８を付して記録する。ここに記録される情報は、ユーザＩＤ４５、クリックＩＤ２６、成果ＩＤ３１の他、具体的な利益還元内容情報３９（コード４７）、利益還元状況５５、利益還元実行時間５６に関連付けて格納される（ステップＳ２１）  このような構成によれば、広告掲載者や広告企業／商品販売企業に特別なシステムの構築の必要性を課すことなく、広告企業／商品販売企業から商品購入者に購入成果の報酬を与えることができる方法及びシステムを提供することができる。【００６１】  なお、この発明は上記一実施形態に限定されるものでなく、発明の要旨を変更しない範囲で種々変形可能である。【００６２】  例えば、上記一実施形態では、ユーザは、端末５でブラウザ６を使用して上記アフィリエイトサイト２、広告主サイト３及びアフィリエイトサービス提供システム４にアクセスしていたが、ブラウザに限定されるものではない。例えば、専用のアプリケーションを用意し、このアプリケーションでアクセスを行うようにしてもよい。【００６３】  また、図５や図６に示される広告素材７を含むタイアップ訴求記事２やユーザ連絡先入力欄３３を含むページ３は、必ずしもＷＥＢページとして提供されなくても良い。例えば、パソコンや携帯電話にインストールされるアプリのインタフェースの一部に非オンラインの固定ページとして表示されるものであってもよい。【００６４】  また、キャンペーン情報は、上記一実施例のものに限定されるものではなく、キャンペーン価額や種別が一定の場合には、単一の静的な情報（３０％割引、１０００円の図書券）等であってもよい。【００６５】  さらに、上記一実施形態では、上記ギフトカードの情報をユーザ情報格納部１２ｃに格納したが、ギフトカード発行会社システム４７がギフトカードの情報（コード）を直接送るように構成されている場合もあり、この場合には、上記ユーザ用インセンティブ支払処理部２１は、ギフトカード発行会社システム４７にユーザ連絡先情報３２を送り、コードを受け取らないように構成されていてもよい。【００６６】  また、上記一実施例では、クリックと成果、ユーザ利益還元を結びつけるために、ユーザのブラウザに格納されたcookieを用いていたが、これに限定されない。【００６７】  例えば、以下の手段を用いることが可能である。?ブラウザに保存されるキャッシュデータ?ブラウザが提供するローカルストレージ等のデータ格納領域?Keychain等のOSが提供する機密データ格納領域?その他（ユーザ側には何も保存せず、端末固有IDや特性から判別）  また、上記一実施形態では、ユーザ５がブラウザ６上で、アフィリエイトサイト２上のブログタイアップ訴求記事に表示された広告素材７（図５）をクリックすることで、アフィリエイトサービス提供システム４上のキャンペーンサイト（図６）に遷移してユーザ連絡先情報を入力するように構成されているが、これに限定されるものではない。例えば、ユーザ連絡先情報も上記タイアップ訴求記事上で直接取得されるように構成されているものであっても良い。この場合、例えば、図１８に示すように、タイアップ訴求記事中にユーザ連絡先情報入力欄３３が設けられる。【００６８】  この場合、上記一実施形態では、前記広告素材７をクリックしたことで取得されていたアフィリエイト広告プロモーションのＩＤ（図１３に２３で示す）やアフィリエイトサイトのＩＤ(図１４に２４で示す）等の情報が、この実施形態では、図１８中のユーザ情報入力欄３３の登録ボタン３４を押すことで、ユーザ連絡先情報と共に一括してアフィリエイトサービス提供システム４に送られることになる（図４のステップＳ６に対応）。【００６９】  また、上記の場合、上記図１８に示すユーザインタフェースは、アフィリエイトサイト２によって提供されているが、これに限定されるものではなく、上記アフィリエイトサービス提供システム４若しくは広告主サイト３が提供するようになっていても良い。この場合、アフィリエイトサービス提供業者は、アフィリエイターからタイアップ訴求記事の内容を受領し、図１８に示すページを自動的に生成するようになっていても良い。
【参照符号の説明】
【００７０】  １…インターネット網  ２…アフィリエイトサイト  ３…広告主サイト  ４…アフィリエイトサービス提供システム  ５…ユーザ端末  ６…ブラウザ  ７…広告素材  ８…決済モジュール  ９…ボタン  １１…プログラム格納部  １２ａ〜１２ｅ…データ格納部  １２ａ…広告プロモーション情報格納部  １２ｂ…クリック情報格納部  １２ｃ…ユーザ情報格納部  １２ｄ…成果情報格納部  １２ｅ…ユーザ利益還元情報格納部  １４…ユーザ用キャンペーン判別部  １５…ユーザ用インセンティブ演算部  １６…ユーザ用インセンティブ表示部  １７…ユーザ連絡情報取得部  １８…ユーザ還元情報記録部  １９…クリック情報記録部  ２０…成果発生情報記録部  ２１…ユーザ用インセンティブ支払処理部  ２３…広告プロモーションＩＤ  ２４…アフィリエイターサイトＩＤ  ２５…ユーザアクセス情報  ２６…クリックＩＤ  ２７…ユーザ利益還元プロモーション情報  ２８…広告プロモーション詳細情報  ２９…ユーザ用キャンペーン表示コンテンツ  ３０…ユーザ用キャンペーン演算式  ３１…成果ＩＤ  ３２…ユーザ連絡先情報  ３３…ユーザ連絡先情報取得欄  ３４…ボタン  ３５…メールアドレス完了画面  ３６…確認メール  ３７…ボタン  ３８…ユーザ還元記録ＩＤ  ３９…利益還元内容情報  ４０…成果発生情報  ４１…ユーザ特定部  ４２…通知部  ４４…インセンティブ生成部  ４５…ユーザＩＤ  ４６…ユーザ利益還元情報  ４７…ギフトカード発行会社システム  ４８…コード  ４９…リンク  ５０…検索欄  ５１…リスト  ５２…成果承認  ５３…却下  ５４…確認ボタン  ５５…利益還元状況  ５６…利益還元実行時間
【図１】
0006567421.tif 000002
【図２】
0006567421.tif 000003
【図３】
0006567421.tif 000004
【図４】
0006567421.tif 000005
【図５】
0006567421.tif 000006
【図６】
0006567421.tif 000007
【図７】
0006567421.tif 000008
【図８】
0006567421.tif 000009
【図９】
0006567421.tif 000010
【図１０】
0006567421.tif 000011
【図１１】
0006567421.tif 000012
【図１２】
0006567421.tif 000013
【図１３】
0006567421.tif 000014
【図１４】
0006567421.tif 000015
【図１５】
0006567421.tif 000016
【図１６】
0006567421.tif 000017
【図１７】
0006567421.tif 000018
【図１８】
0006567421.tif 000019